(57)【要約】【課題】敷き寝具上の使用者の臥位状態、起床状態、端座状態、離床状態を含む４種以上の状態を正確に検知でき、簡便かつ正確にセンサシーツを固定可能で、荷重検知エリアのメンテナンス性も向上されたセンサシーツを得る。【解決手段】クッション性を有する敷き寝具の上面に敷設され、使用者の状態検知機能を有するセンサシーツであり、該センサシーツは布帛状の基材からなり、基材上に少なくとも３つの検知エリアを備え、  第１の検知エリアと第２の検知エリアはセンサシーツの頭側端から互いに異なる距離の位置に配置されており、それぞれの検知エリアへの人体接触を検知し、  第３の検知エリアはセンサシーツの右側あるいは左側の側端部に沿って配置されており、センサシーツの側端部付近への人体接触を検知し、  これら３つの検知エリアが検知した接触状態の組合せにより使用者の状態を検知し出力する機能を有する、センサシーツ。【選択図】図１
2018019762.tif 000002
【特許請求の範囲】
【請求項１】
クッション性を有する敷き寝具の上面に敷設され、使用者の状態を検知する機能を有するセンサシーツであり、該センサシーツはシート状の基材からなり、基材上に少なくとも３つの検知エリアを備え、
第１の検知エリアと第２の検知エリアはセンサシーツの頭側端から互いに異なる距離の位置に配置されており、それぞれの検知エリアへの人体接触を検知し、
第３の検知エリアはセンサシーツの右側あるいは左側の側端部に沿って配置されており、センサシーツの側端部付近への人体接触を検知し、
これら３つの検知エリアが検知した人体接触状態の組合せにより使用者の状態を検知し出力する機能を有する、センサシーツ。
【請求項２】
クッション性を有する敷き寝具の上面に前記センサシーツを敷設した状態で上面から見たとき、
第１の検知エリアは敷き寝具の中央点から、敷き寝具の頭側へ敷き寝具の長手方向の長さの４０％の距離の点までを結ぶ線分の少なくとも一部を含み、敷き寝具の幅の６０％以上１１０％以下に渡って配置され、
第２の検知エリアは敷き寝具の中央点から、敷き寝具の足側へ敷き寝具の長手方向の長さの２０％の距離の点までを結ぶ線分の少なくとも一部を含み、敷き寝具の幅の２０％以上１１０％以下に渡って配置され、
第３の検知エリアの少なくとも一部は、敷き寝具の右側あるいは左側の側端部から敷き寝具の反対側の側端部に向かって敷き寝具の幅の２０％以内の領域に、敷き寝具の長手方向の２５％以上１１０％以下の長さに渡って配置された、請求項１に記載のセンサシーツ。
【請求項３】
敷き寝具へ固定するための伸縮性布帛をさらに備え、敷き寝具の下面に伸縮性布帛がかかるように該伸縮性布帛が基材に固定された、請求項１または２に記載のセンサシーツ。
【請求項４】
第１の検知エリア、第２の検知エリア、および第３の検知エリアはそれぞれ接触センサから構成され、該接触センサはそれぞれ独立に基材から取り外すことが可能な、請求項１〜３のいずれかに記載のセンサシーツ。
【請求項５】
第１の検知エリア、第２の検知エリア、および第３の検知エリアはそれぞれ布帛状センサから構成され、該布帛状センサは、
第１の導電性布帛と第２の導電性布帛とが積層され、第１の導電性布帛と第２の導電性布帛との間の一部の領域にスペーサが挟まれ、第１の導電性布帛と第２の導電性布帛との間の該スペーサがない部分が空隙となるよう該スペーサによって保持されており、押圧により第１の導電性布帛と第２の導電性布帛とが短絡すること検知して押圧を検出する布帛状センサであって、
該スペーサは５０％圧縮応力が４．３ｋＰａ以上２０ｋＰａ以下、かつ４０ｋＰａ圧縮１０秒後の復元率が５０％以上１００％以下であり、第１の導電性布帛と第２の導電性布帛との間の空隙の高さが３ｍｍ以上６ｍｍ以下であり、幅が１５ｍｍ以上３５ｍｍ以下である、
布帛状センサで構成されている、請求項１〜４のいずれか記載のセンサシーツ。
【請求項６】
前記センサシーツから出力された電気信号を外部機器へ送信する送信手段をさらに備える、
請求項１から５のいずれかに記載のセンサシーツ。
【発明の詳細な説明】
【技術分野】
【０００１】
本発明は、シーツ状の状態検知センサに関する。
【背景技術】
【０００２】
近年、高齢化社会の進展や、社会の安全・安心に関するニーズの高まりに伴い、使用者の状態を検知するベッドが求められている。例えば、病院にて十分な運動機能を有していない使用者が、一人でベッドから立ち上がる際に転倒し、怪我をしてしまう事態が多く発生しており、ベッドでの起き上がりやベッドからの立ち上がりを検知できるセンサが求められている。
【０００３】
そのようなセンサの１つの例として、特許文献１にはチューブ状の圧力検知センサを寝具の表面に固定するセンサが開示されている。この例ではセンサの取り付け・取り外しは簡便であり、センサ装置も安価であるものの、設置場所が設置者によって変動しやすく、また使用中に設置場所が変動する可能性も高い。さらに、センサが使用者の背面部にしか設置できず、寝ているか寝ていないかの２種類の状態しか判断することができず、臥位状態、起床状態、端座状態、離床状態を含む使用者の複数の状態を検知するシステムとしては不適である。
【０００４】
他の例として特許文献２には、センサをベッド装置内の、マットレスの下に位置する部分に複数の荷重検知装置を配置し、検知された荷重の状態によって使用者の状態を検知するセンサ装置が開示されているが、センサがベッド装置に内蔵されているため、システム全体が高価になりやすく、メンテナンスにも不向きであるという課題があった。さらに他の例として特許文献３には、２枚のシート状荷重センサをマットレスの上面と下面に配置し、それらにより検知された荷重の状態によって使用者の状態を検知するセンサ装置が開示されているが、２枚のシート状センサを装着するために設置や取り換えが煩雑でありシステム全体が高価になりやすいという課題があった。また、特許文献２および特許文献３に開示されているセンサは、マットレスの下の所定の領域に荷重検知器を配置してその領域にかかる荷重を検知しているが、使用者との間に厚みのあるマットレスを介在させているため、マットレスの上面においては、荷重検知器が配置されている領域のみならずその付近の広い領域の荷重を平均して検知してしまうため、荷重検知の位置選択性が低く、誤検知が起きやすいという課題があった。
【先行技術文献】
【特許文献】
【０００５】
【特許文献１】特開２０１２−２３５８９５号公報
【特許文献２】特開２００８−１０００３９号公報
【特許文献３】特開２００４−１５４２４２号公報
【発明の概要】
【発明が解決しようとする課題】
【０００６】
本発明の目的は、使用者の複数の状態を正確に検知できる機能を有し、構成が簡単で簡便かつ正確に設置が可能なシーツ型のセンサを提供することにある。
【課題を解決するための手段】
【０００７】
本発明者らは、マットレスや敷き布団などのクッション性を有する敷き寝具（以下、単に敷き寝具と記載する）の上面にセンサ機能を有するシーツ（以下、センサシーツと称する）を敷設し、該センサシーツの特定位置に少なくとも３つの荷重検知エリアを備え、それらの検知結果の組み合わせを判定することにより、使用者の臥位状態、起床状態、端座状態、離床状態を含む４種以上の状態を明確に検知できることを突き止めた。さらに、そのシーツ基材を伸縮性布帛により敷き寝具に固定できるようにすることで、簡便かつ正確にセンサシーツを固定可能とし、荷重検知エリアのメンテナンス性も向上させることができることを発見し、本発明を完成した。
すなわち、本発明は以下の発明を包含する。
【０００８】
１．クッション性を有する敷き寝具の上面に敷設され、使用者の状態を検知する機能を有するセンサシーツであり、該センサシーツはシート状の基材からなり、基材上に少なくとも３つの検知エリアを備え、
第１の検知エリアと第２の検知エリアはセンサシーツの頭側端から互いに異なる距離の位置に配置されており、それぞれの検知エリアへの人体接触を検知し、
第３の検知エリアはセンサシーツの右側あるいは左側の側端部に沿って配置されており、センサシーツの側端部付近への人体接触を検知し、
これら３つの検知エリアが検知した人体接触状態の組合せにより使用者の状態を検知し出力する機能を有する、センサシーツ。
【０００９】
本発明には以下も包含される。
２．クッション性を有する敷き寝具の上面に前記センサシーツを敷設した状態で上面から見たとき、
第１の検知エリアは敷き寝具の中央点から、敷き寝具の頭側へ敷き寝具の長手方向の長さの４０％の距離の点までを結ぶ線分の少なくとも一部を含み、敷き寝具の幅の６０％以上１１０％以下に渡って配置され、
第２の検知エリアは敷き寝具の中央点から、敷き寝具の足側へ敷き寝具の長手方向の長さの２０％の距離の点までを結ぶ線分の少なくとも一部を含み、敷き寝具の幅の２０％以上１１０％以下に渡って配置され、
第３の検知エリアの少なくとも一部は、敷き寝具の右側あるいは左側の側端部から敷き寝具の反対側の側端部に向かって敷き寝具の幅の２０％以内の領域に、敷き寝具の長手方向の２５％以上１１０％以下の長さに渡って配置された、前記１に記載のセンサシーツ。
３．敷き寝具へ固定するための伸縮性布帛をさらに備え、敷き寝具の下面に伸縮性布帛がかかるように該伸縮性布帛が基材に固定された、前記１または２に記載のセンサシーツ。
４．第１の検知エリア、第２の検知エリア、および第３の検知エリアはそれぞれ接触センサから構成され、該接触センサはそれぞれ独立に基材から取り外すことが可能な、前記１〜３のいずれかに記載のセンサシーツ。
５．第１の検知エリア、第２の検知エリア、および第３の検知エリアはそれぞれ布帛状センサから構成され、該布帛状センサは、
第１の導電性布帛と第２の導電性布帛とが積層され、第１の導電性布帛と第２の導電性布帛との間の一部の領域にスペーサが挟まれ、第１の導電性布帛と第２の導電性布帛との間の該スペーサがない部分が空隙となるよう該スペーサによって保持されており、押圧により第１の導電性布帛と第２の導電性布帛とが短絡すること検知して押圧を検出する布帛状センサであって、
該スペーサは５０％圧縮応力が４．３ｋＰａ以上２０ｋＰａ以下、かつ４０ｋＰａ圧縮１０秒後の復元率が５０％以上１００％以下であり、第１の導電性布帛と第２の導電性布帛との間の空隙の高さが３ｍｍ以上６ｍｍ以下であり、幅が１５ｍｍ以上３５ｍｍ以下である、
布帛状センサで構成されている、前記１〜４のいずれか記載のセンサシーツ。
６．前記センサシーツから出力された電気信号を外部機器へ送信する送信手段をさらに備える、
前記１から５のいずれかに記載のセンサシーツ。
【発明の効果】
【００１０】
本発明によれば、ベッド用マットレス上の使用者の臥位状態、起床状態、端座状態、離床状態を含む４種以上の状態を明確に検知でき、簡便かつ正確にセンサシーツを固定可能で、荷重検知エリアのメンテナンス性も向上されたセンサシーツを得ることができる。
【図面の簡単な説明】
【００１１】
【図１】本発明のセンサシーツの構成例を示す上面図である。
【図２】図１のセンサシーツの使用例を示す上面図である。
【図３】本発明のセンサシーツの好ましい構成例を示す上面図である。
【図４】図３のセンサシーツの使用例を示す上面図である。
【図５】本発明の検知エリアを構成する好ましい布帛状センサの構成例を示す部分断面図である。
【図６】図５の布帛状センサが押された状態を示す部分断面図である。
【図７】本発明の検知エリアを構成する好ましい布帛状センサと電気配線との関係を示す模式図である。
【図８】Ａは本発明の検知エリアを構成する好ましい布帛状センサの他の構成例を示す部分断面図であり、Ｂはその上面図である。
【図９】Ａは本発明の検知エリアを構成する好ましい布帛状センサのさらに他の構成例を示す部分断面図であり、Ｂはその上面図である。
【図１０】Ａは本発明の検知エリアを構成する好ましい布帛状センサのさらに他の構成例を示す部分断面図であり、Ｂはその上面図である。
【図１１】Ａは本発明の検知エリアを構成する好ましい布帛状センサのさらに他の構成例を示す部分断面図であり、Ｂはその上面図である。
【図１２】本発明の検知エリアを構成するさらに他の好ましい布帛状センサを示す上面図である。
【図１３】本発明のセンサシーツの伸縮性布帛の好ましい配置例を示す模式図である。
【図１４】本発明のセンサシーツの伸縮性布帛の好ましい配置例を示す模式図である。
【図１５】本発明のセンサシーツの伸縮性布帛の好ましい配置例を示す模式図である。
【図１６】本発明のセンサシーツで使用者の状態を検出するための判定表である。
【図１７】本発明のセンサシーツの動作例を示すフローチャートである。
【発明を実施するための形態】
【００１２】
本発明によれば、敷き寝具の上面に敷設するセンサシーツで、該センサシーツの特定位置に少なくとも３つの人体接触検知エリアを備え、それらの検知結果の組み合わせを判定することにより、使用者の臥位状態、起床状態、端座状態、離床状態を含む４種以上の状態を明確に検知できるセンサシーツが提供される。以下に具体的に説明する。
【００１３】
図１は本発明のセンサシーツ１０２の構成例を示す模式図である。センサシーツ１０２は第１の検知エリア２０１、第２の検知エリア２０２および第３の検知エリア２０３（以下、これらの３つの検知エリアを検知エリア２０１〜２０３と記載する）と、検出器３０とを備える。検知エリア２０１〜２０３は電気配線３１を介して検出器３０に接続されている。
【００１４】
図２は図１に示したセンサシーツ１０２の使用例を示す模式図である。センサシーツ１０２は柵５２を備えたベッド５１の上のマットレス（図示せず）の上に敷設されている。センサシーツ１０２は敷き寝具の上面に直接敷設されてもよいし、敷き寝具とセンサシーツ１０２との間に別の布やシート（防水シートなど）を敷いてもよい。また、センサシーツ１０２の上に直接使用者が乗ってもよいし、センサシーツ１０２の性能を妨げない範囲でセンサシーツ１０２と使用者との間に別の布（シーツなど）やシート（防水シートなど）を敷いてもよい。センサシーツ１０２は、監視対象であるベッド５１上の使用者５０が離床することを検知したり、その使用者５０の離床の予兆行動を検知したり、すなわち離床を予測したりするものであり、この例ではさらに送信部２８とアラーム発報装置３２とを備える。図１および図２の例では敷き寝具としてマットレスを使用しているが、敷き寝具としてクッション性を有するマット、シート、あるいは中綿を有する敷き布団を用いても同様である。
【００１５】
センサシーツ１０２はシート状の基材２００からなり、この基材上に検知エリア２０１〜２０３が配置されている。センサシーツ１０２の上面は敷設して使用される敷き寝具の上面と概ね同等の長さおよび幅を有し、マットレスへの敷設時の位置決めが容易になっている。ここでいう概ね同等とは、差が±１０％以内であることを言う。敷設する敷き寝具の頭側および足側に対応して、図１の通りセンサシーツ１０２の頭側および足側が設定される。図２の構成例においては、図の左が頭側、右が足側である。
【００１６】
第１の検知エリア２０１と第２の検知エリア２０２はセンサシーツの頭側端から互いに異なる距離の位置に配置されている。第３の検知エリア２０３はセンサシーツの右側あるいは左側の側端部に沿って配置され、図１および図２の例ではセンサシーツの右側の側端部に沿って配置されている。検知エリア２０１〜２０３は、それぞれの検知エリアへの人体接触状態にしたがってそれぞれ異なる信号（信号を発しない状態を含む）を検出器３０に送信する。検出器３０はそれぞれの検知エリアからの信号からそれぞれの検知エリアの人体接触状態を検知し、その検知結果の組み合わせにより、使用者５０の状態を検出する。本発明における検知エリアへの人体接触は、直接人体が触れる必要はなく、センサの保護材や寝床用シーツを間に介していても接触しているとみなす。
【００１７】
検知エリアを上述の通り配置することで、第１の検知エリア２０１あるいは第２の検知エリア２０２のうち、どちらも人体接触を検知すれば確度高く在床（ベッドに居る）と判断でき、どちらも人体接触を検知しなければベッドの端座（左右端）に居るか離床している（ベッドに居ない）かのどちらかであると検出器３０は検知できる。さらに、第３の検知エリア２０３が人体接触を検知すればベッドの端座（左右端）に居り、人体接触を検知しなければ離床している（ベッドに居ない）と検出器３０は検知できる。このように、一つの検知エリアでは検知困難な使用者の複数の状態を検知でき、離床および離床予備行動（端座状態）を監視することが可能である。また、複数の検知エリアの電気信号から使用者５０の状態を判断することにより、使用者５０の状態を正しく判断でき、誤った判断をしないようにすることができる。
【００１８】
図３は本発明のより好ましい形態のセンサシーツの構成例を示す。図４は図３に示したセンサシーツ１０２の使用例を示す模式図である。センサシーツ１０２は柵５２を備えたベッド５１の上のマットレス（図示せず）の上に敷設されている。センサシーツ１０２は敷き寝具の上面に直接敷設されてもよいし、敷き寝具とセンサシーツ１０２との間に別の布やシート（防水シートなど）を敷いてもよい。また、センサシーツ１０２の上に直接使用者が乗ってもよいし、センサシーツ１０２の性能を妨げない範囲でセンサシーツ１０２と使用者との間に別の布（シーツなど）やシート（防水シートなど）を敷いてもよい。センサシーツ１０２は、監視対象であるベッド５１上の使用者５０が離床することを検知したり、その使用者５０の離床の予兆行動を検知したり、すなわち離床を予測したりするものであり、この例ではさらに送信部２８とアラーム発報装置３２とを備える。図３はセンサシーツ１０２をベッド用マットレスに敷設した状態で上面から見たときの上面図であり、以下、図３に示す上面図にて説明する。図３および図４の例では敷き寝具としてマットレスを使用しているが、敷き寝具としてクッション性を有するマット、シート、あるいは中綿を有する敷き布団を用いても同様である。
【００１９】
第１の検知エリア２０１はマットレスの中央点２１０（マットレスの頭側端および足側端までの距離が等しく、右側端および左側端までの距離が等しくなる点）から、マットレスの頭側へマットレスの長手方向の長さの４０％の距離の点までを結ぶ仮想の線分２１１（図３に一点破線で示す）の少なくとも一部を含み、マットレスの幅の６０％以上１１０％以下に渡って配置される。検知エリアが１００％を超え、すなわちマットレスの端から外側に延在してもよい。このように配置することで、第１の検知エリア２０１は使用者の臥位状態において上半身がマットレスに接触している度合を、使用者の位置にかかわらず確度高く検知できる。使用者の位置や体勢の変化により確実に対応する観点からは、マットレスの中央点２１０から、第１の検知エリア２０１はマットレスの頭側へマットレスの長手方向の長さの３０％の距離の点までを結ぶ仮想の線分２１１の少なくとも一部を含むことがより好ましく、マットレスの幅の７０％以上１００％以下に渡って配置されることがより好ましい。
【００２０】
第２の検知エリア２０２はマットレスの中央点２１０から、マットレスの足側へマットレスの長手方向の長さの２０％の距離の点までを結ぶ仮想の線分２１２（図３に二点破線で示す）の少なくとも一部を含み、マットレスの幅の２０％以上１１０％以下に渡って配置される。検知エリアが１００％を超え、すなわちマットレスの端から外側に延在してもよい。このように配置することで、第２の検知エリア２０２は使用者の臥位状態あるいは座位状態において下半身がマットレスに接触している度合を、使用者の位置にかかわらず確度高く検知できる。使用者の位置や体勢の変化により確実に対応する観点からは、マットレスの中央点２１０から、第２の検知エリア２０２はマットレスの足側へマットレスの長手方向の長さの１５％の距離の点までを結ぶ仮想の線分２１２の少なくとも一部を含むことがより好ましく、マットレスの幅の４０％以上１００％以下に渡って配置されることがより好ましい。第３の検知エリア２０３がマットレスの足側半分の領域に存在する場合は、端座の使用者の人体接触を第２の検知エリア２０２で検出しないようにする観点から、第２の検知エリア２０２は第３の検知エリア２０３が存在するセンサシーツの端からマットレスの幅の２０％以上の領域を避けて配置されることが好ましい。第３の検知エリアがマットレスの足側半分の領域に存在しない場合は、第２の検知エリア２０２はマットレスの幅の６０％以上１００％以下に渡って配置されることが好ましい。
【００２１】
第３の検知エリア２０３の少なくとも一部は、マットレスの右側あるいは左側の側端部からマットレスの反対側の側端部に向かってマットレスの幅の２０％以内の領域に、マットレスの長手方向の長さの２５％以上１１０％以下の長さに渡って配置される。検知エリアが１００％を超え、すなわちマットレスの端から外側に延在してもよい。このように配置することで、第３の検知エリア２０３は使用者の右端座位あるいは左端座位状態において使用者がマットレスに接触している度合を確度高く検知できる。使用者の位置や体勢の変化により確実に対応する観点からは、マットレスの中央点２１０から、第３の検知エリア２０３はマットレスの長手方向の長さの４０％以上１００％以下の長さに渡って配置されることが好ましい。図４の例のようにマットレスが設置されるベッド装置の左右端に手すりや落下防止用の柵がある場合は、手すりや落下防止用の柵のない領域に、手すりや落下防止用の柵のない領域の長さの４０％以上１００％以下の長さに渡って配置されることが好ましい。マットレスが設置されるベッド装置の左右端に手すりや落下防止用の柵がない場合は、マットレスの長手方向の長さの８０％以上１００％以下の長さに渡って配置されることが好ましい。
【００２２】
上記の範囲にそれぞれの検知エリアを配置することで、検知エリア面積を広くして部材コストを高くすることなく、より小さい面積の検知エリアで必要な使用者の複数の状態を検出することが可能となる。
【００２３】
検知エリアは人体接触を検知するセンサ（以下、接触センサと記載する）から構成される。１つの検知エリアは１つの接触センサのみから構成されていてもよいし、複数の接触センサから構成されていてもよい。例えば、センサシーツ中に接触センサが配置された領域が４か所以上あるときは、それらから選ばれるいずれか２か所の接触センサをまとめて１つの検知エリアとみなすことができる。また、１つの検知エリアとみなす複数の接触センサの間に５０ｃｍ以下の間隔があいている場合、検知対象となる人体の大きさを鑑みて、それら２か所の接触センサの間の領域も含め連続した１つの検知エリアとみなすことができる。例えば線状の接触センサを２０ｃｍ間隔で２本平行に配置したとき、２本の接触センサに挟まれる２０ｃｍの幅の領域全てを１つの検知エリアとみなすことができる。また、例えばセンサシーツの中央に仰臥状態を取っている使用者の右肩部分および左肩部分それぞれに、３０ｃｍの間を空けて２つの接触センサが配置された場合、これらの接触センサはどちらも第１の検知エリアであり、それら２つの接触センサの間の領域も含めて第１の検知エリアが存在するとみなすことができる。この場合、第１の検知エリア内に存在する各接触センサの検知結果同士の演算結果を第１の検知エリアが検知した人体接触の結果として用い、第２、第３の検知エリアの検知結果と組み合わせて使用することが検知アルゴリズムの簡略化の観点からは好ましいが、第１の検知エリア内に存在する各接触センサの検知結果同士の演算をすることなく、各接触センサの検知結果を第２、第３の検知エリアの検知結果と組み合わせて使用することも、状態検知機能の高度化の観点から好ましく採用される。
【００２４】
図３の例のようにセンサシーツの左側および右側の両方に第３の検知エリアを構成する接触センサを配置することが好ましいが、左側あるいは右側どちらかの十分な領域に手すりや落下防止用の柵を備えるベッドでセンサシーツが使用される場合は、それらを備えない側に接触センサを配置し第３の検知エリアとすれば十分である。
検知エリアは上述した３つの他に、さらに別の検知エリアを備えていてもよい。
【００２５】
検知エリアを構成する接触センサは、人体による荷重を検知する方式や、人体近接による静電容量の変化や、体温や脈拍を検知して人体が乗ったことを検知する方式など、公知のあらゆるものを使用することができる。信頼性と位置選択性の点から、人体による荷重を検知する方式がより好ましく、柔軟な電極間の短絡により押圧を検知するスイッチ方式、柔軟なチューブの内圧上昇により押圧を検知する圧力検知方式、電極間の近接による静電容量の増加を検知する静電容量方式が特に好ましく、センサおよび検出器の簡素化の点から柔軟な電極間の短絡により押圧を検知するスイッチ方式がとりわけ好ましい。
【００２６】
スイッチ方式の接触センサとしては、以下に挙げる布帛状センサ１が特に好適に用いられる。布帛状センサ１は、第１の導電性布帛と第２の導電性布帛とが積層され、第１の導電性布帛と第２の導電性布帛との間の一部の領域には可撓性のスペーサが挟まれ、第１の導電性布帛と第２の導電性布帛との間の該スペーサがない部分が空隙となるよう該スペーサによって保持されており、押圧により第１の導電性布帛と第２の導電性布帛とが短絡すること検知して押圧を検出するスイッチ型の布帛状センサであって、使用者に違和感を与えないような柔軟性を確保しつつ、人体荷重を長期的に精度よく検知するスイッチ型の布帛状センサである。以下に具体的に説明する。
【００２７】
図５は布帛状センサ１の構成例を示す部分断面図である。布帛状センサ１は、第１の導電性布帛１１と第２の導電性布帛１２とスペーサ１４とを備える。第１の導電性布帛１１とスペーサ１４と第２の導電性布帛１２とはこの順に積層される。また、第１の導電性布帛１１と第２の導電性布帛１２との間にはスペーサ１４により空隙２２が形成される。
【００２８】
図６は、図５の布帛状センサ１が図の上部から押圧力Ｐによって押圧された時の布帛状センサを示す。布帛状センサ１が押圧された時にはスペーサ１４が圧縮されるとともに第１の導電性布帛１１あるいは第２の導電性布帛１２が変形し、第１の導電性布帛１１と第２の導電性布帛１２とが接触し、短絡した状態となり、押圧が除かれるとスペーサの弾性により図５の状態に戻り、第１の導電性布帛１１と第２の導電性布帛１２とは離れて絶縁された状態となる。即ち、布帛状センサ１は押圧された時にオンとなるスイッチとして機能する。
【００２９】
図７は布帛状センサ１と電気配線との関係を示す模式図である。検出器３０は電気配線３１を介して第１の導電性布帛１１および第２の導電性布帛１２に接続され、第１の導電性布帛１１と第２の導電性布帛１２とが短絡しているか否かを検出し、布帛状センサ１の押圧状態を検知する。
第１の導電性布帛１１および第２の導電性布帛１２は表面に導電性領域を有する布帛である。ただし布帛とは、多くの繊維を薄く広く板状に形成したものであり、織物、編物、不織布、フエルト、紙に例示される。本発明の目的を達成するため、第１の導電性布帛１１−１および第２の導電性布帛１２布帛は薄く、外力に対し柔軟に変形可能であることが必要である。厚みは１ｍｍ以下が好ましく、０．５ｍｍ以下がより好ましく、０．２ｍｍ以下がさらに好ましい。
【００３０】
第１の導電性布帛１１および第２の導電性布帛１２として、導電性繊維を経糸および緯糸として織物としたものや、絶縁性の布帛の表面全域に導電性材料による被覆を施したものなど、布帛の表面全域が導電性を示すものを用いてもよいし、導電性繊維を経糸あるいは緯糸の一部として織物としたものや、絶縁性の布帛に導電性繊維を縫い付けたものなど、布帛の表面の一部が導電性を示すものでもよい。ここで導電性があるとは、スイッチの部材として機能する程度に導電性領域の抵抗値が低いことを指す。導電性領域の抵抗値は、検出器の入力抵抗にもよるが、一般的な電圧検出型の検出器を用いる場合は１ＭΩ以下が好ましく、１ｋΩ以下がより好ましい。本発明の目的を達成するため、導電性領域は可撓性を有し、導電性布帛の一部として外力に対し柔軟に変形可能であることが必要である。このような導電性布帛として、セーレン株式会社製の銅ニッケルめっきポリエステル織物「Ｓｕｉ−１０−５１１Ｍ」や、絶縁性織物にミツフジ株式会社製の銀メッキナイロン糸「ＡＧｐｏｓｓ  １００ｄ」を縫い付けたものや、絶縁性織物に日本蚕毛染色株式会社製の硫化銅メッキポリエステル繊維「ＥＳ  ８４Ｔ／３６Ｆ」を縫い付けたものや、絶縁性繊維にデュポン  エレクトロニクスマテリアル株式会社製の柔軟銀ペースト「ＰＥ８７３」を塗布・固化させたものが好ましい例として挙げられる。導電性領域に導電性繊維を用いる場合は、前述した導電性繊維の他、ＰＥＤＯＴ−ＰＳＳなどの導電性高分子を被覆した繊維や、導電性炭素を混合した繊維を用いることもできる。また、十分に細い金属線を含む撚り線を導電性繊維として用いることもできる。
【００３１】
第１の導電性布帛１１および第２の導電性布帛１２のそれぞれの導電性領域は、少なくとも一部が空隙２２に露出しており、空隙２２を挟んで互いに向かいあって配置されていることで、押圧に対してスイッチとして機能することができる。例えば図８に示す布帛状センサ１のように、第１の導電性布帛１１の片面の一部にのみ導電性領域１３−１を有しており、第２の導電性布帛１２の片面の一部にのみ導電性領域１３−２を有しており、導電性領域１３−１あるいは１３−２以外の部分は絶縁性であってもよい。
【００３２】
ただし、第１の導電性布帛の導電性領域および第２の導電性布帛の導電性領域が非常に狭い場合、例えば導電性領域１３−１および１３−２のいずれもが、絶縁性布帛に直線状に縫い付けられた直径１ｍｍ直径未満の導電性繊維により互いに平行に形成されている場合では、押圧されていない状態での上面図では導電性領域１３−１と１３−２とが重なっていても、押圧によって水平方向（図４Ａの横方向）に１ｍｍ以上ずれた状態で第１の導電性布帛１１と第２の導電性布帛１２とが接触する結果、両布帛の導電性領域同士が接触せず、正確に押圧を検出することができなくなる可能性が高い。これを避けるため、第１の導電性布帛の導電性領域あるいは第２の導電性布帛の導電性領域の少なくとも一部は、押圧により他方の導電性領域に十分な広さで重なるよう配置されていることが必要となる。具体的には、布帛状センサ１を上から見た平面図において、第１の導電性布帛１１の導電性領域と第２の導電性布帛１２の導電性領域とが重なる領域を有し、第１の導電性布帛１１の導電性領域は、前記重なる領域を通る１つの直線上の寸法が２ｍｍ以上となる１つの直線を有し、前記重なる領域を通り、前記１つの直線からθ度（０＜θ≦９０）の傾きをもつ別の１つの直線上の、第２の導電性布帛１２の導電性領域の寸法が（２／ｓｉｎθ）ｍｍ以上となることが好ましい。上記の２本の直線は布帛状センサの形状を判定するための仮想的なものであり、実際の布帛状センサ上に描かれている必要はない。言い換えると、布帛状センサ１を上から見た平面図において、第１の導電性布帛１１の導電性領域と第２の導電性布帛１２の導電性領域とが重なる領域を有し、前記重なる領域を通ってθ度（０＜θ≦９０）で交わる２本の直線Ａと直線Ｂについて、「第１の導電性布帛１１の導電性領域の、直線Ａ上の寸法が２ｍｍ以上であり、第２の導電性布帛１２の導電性領域の、直線Ｂ上の寸法が（２／ｓｉｎθ）ｍｍ以上である」という条件を満たす直線Ａと直線Ｂとの組が少なくとも１組存在することが好ましい。直線Ａおよび直線Ｂは布帛状センサの形状を判定するための仮想的なものであり、実際の布帛状センサ上に描かれている必要はない。
【００３３】
図８Ａは布帛状センサ１の好ましい他の構成例を示す部分断面図であり、図８Ｂは図８Ａを上から見た平面図である。第１の導電性布帛１１の導電性領域１３−１は絶縁性布帛基材表面に２ｍｍ以上の幅（図８Ｂの縦方向）をもって長尺方向（図８Ｂの横方向）に延在しており、例えば導電性金属を絶縁性布帛基材表面に帯状にめっきすることで形成されている。第２の導電性布帛１２の導電性領域１３−２は絶縁性布帛基材表面に２ｍｍ未満の幅（図８Ｂの縦方向）を持って長尺方向（図８Ｂの横方向）に２ｍｍ以上の長さで延在しており、例えば導電性繊維を上糸として絶縁性布帛にミシンで直線縫いすることで形成されている。この例では、布帛状センサ１を上から見た平面図（図８Ｂ）において第１の導電性布帛１１の導電性領域１３−１と第２の導電性布帛１２の導電性領域１３−２とが重なる領域は、図８Ｂの第１の導電性布帛１１の中央に横に長く延在しており、その重なる領域を通って図８Ｂの縦方向に延びる１つの直線Ａ上の第１の導電性布帛１１の導電性領域１３−１の寸法は２ｍｍ以上である。前記導電性領域の重なる領域を通って、縦方向の直線Ａに対してθ＝９０度、すなわち図８Ｂの横方向に延びる直線Ｂ上の、第２の導電性布帛１２の導電性領域１３−２の寸法は（２／ｓｉｎθ）＝２ｍｍ以上であり、前述の条件を満たしている。直線Ａ上の第１の導電性布帛１１の導電性領域１３−１の寸法は、好ましくは５ｍｍ以上がさらに好ましく、１０ｍｍ以上がとりわけ好ましい。直線Ｂ上の第２の導電性布帛１２の導電性領域１３−２の寸法は、好ましくは（５／ｓｉｎθ）ｍｍ以上がさらに好ましく、（１０／ｓｉｎθ）ｍｍ以上がとりわけ好ましい。直線Ａ上の第１の導電性布帛１１の導電性領域１３−１の寸法、および直線Ｂ上の第２の導電性布帛１２の導電性領域１３−２の寸法は、押圧の検知が可能な領域を確保するために十分な大きさがあればよく、その上限は使用する用途に従い適宜選択すればよい。
【００３４】
図９Ａは布帛状センサ１の好ましい他の構成例を示す部分断面図であり、図９Ｂは図９Ａを上から見た上面図である。第１の導電性布帛１１の導電性領域１３−１は絶縁性布帛基材表面にジグザグに長尺方向（図８Ｂの横方向）に延在しており、例えば導電性繊維を下糸として絶縁性布帛にジグザグにミシンで縫い付けることで形成されている。ジグザグ縫いの幅（図９Ｂの縦方向の寸法）は２ｍｍ以上であり、図９Ｂにおいてジグザグ縫いの縫い糸と、第２の導電性布帛１２の導電性領域１３−２とのなす角は６０度である。第２の導電性布帛１２の導電性領域１３−２は絶縁性布帛基材表面に２ｍｍ未満の幅（図９Ｂの縦方向）を持って長尺方向（図９Ｂの横方向）に２．３１ｍｍ以上の長さで延在しており、例えば導電性繊維を上糸として絶縁性基材にミシンで直線縫いすることで形成されている。この例では、布帛状センサ１を上から見た平面図（図９Ｂ）において第１の導電性布帛１１の導電性領域１３−１と第２の導電性布帛１２の導電性領域１３−２とが重なる領域は、図９Ｂの第１の導電性布帛１１の中央に横に延びる直線上に点在しており、その重なる領域を通って図９Ｂの右上から右下方向に延びる１つの直線Ａ上の第１の導電性布帛１１の導電性領域１３−１の寸法は２ｍｍ以上である。前記導電性領域の重なる領域を通って、縦方向の直線Ａに対して直線θ＝６０度、すなわち図９Ｂの横方向に延びる直線Ｂ上の、第２の導電性布帛１２の導電性領域１３−２の寸法は（２／ｓｉｎθ）＝２．３１ｍｍ以上であり、前述の条件を満たしている。
【００３５】
図１０Ａは布帛状センサ１の好ましい他の構成例を示す部分断面図であり、図１０Ｂは図１０Ａを上から見た上面図である。第１の導電性布帛１１の導電性領域１３−１は絶縁性布帛基材表面に縞状に存在して（図１０Ｂの縦方向には連続的に、図１０Ｂの横方向には間欠的に存在して）おり、例えば絶縁性繊維を経糸および緯糸に用いる平織布の緯糸の一部に導電性繊維を用いて製織することで形成されている。図１０Ｂにおいて第１の導電性布帛１１の導電性領域１３−１は縦方向に２ｍｍ以上の長さで延在している。第２の導電性布帛１２の導電性領域１３−２は絶縁性布帛基材表面に２ｍｍ未満の幅（図１０Ｂの縦方向）を持って長尺方向（図１０Ｂの横方向）に２ｍｍ以上の長さで延在しており、例えば導電性繊維を上糸として絶縁性基材にミシンで直線縫いすることで形成されている。導電性領域１３−１の長尺方向と１３−２の長尺方向は９０度で交わっている。この例では、布帛状センサ１を上から見た平面図（図１０Ｂ）において第１の導電性布帛１１の導電性領域１３−１と第２の導電性布帛１２の導電性領域１３−２とが重なる領域は、図１０Ｂの第１の導電性布帛１１の中央に横に延びる直線上に点在しており、その重なる領域を通って図１０Ｂの縦方向に延びる１つの直線Ａ上の第１の導電性布帛１１の導電性領域１３−１の寸法は２ｍｍ以上である。前記導電性領域の重なる領域を通って、縦方向の直線Ａに対して直線θ＝９０度、すなわち図１０Ｂの横方向に延びる直線Ｂ上の、第２の導電性布帛１２の導電性領域１３−２の寸法は（２／ｓｉｎθ）＝２ｍｍ以上であり、前述の条件を満たしている。
【００３６】
ここでいう導電性領域は、間に１ｍｍ以下の絶縁性領域があっても、連続した導電性領域とみなす。例えば、絶縁性の布帛に２本の導電性繊維を０．５ｍｍの間隔で平行に縫い付けた布帛は、２本の導電性繊維およびそれらの間の領域を全て導電性領域とみなす。
空隙２２は、第１の導電性布帛と第２の導電性布帛との間の一部の領域にスペーサが挟まれ、第１の導電性布帛と第２の導電性布帛との間のスペーサがない部分が空隙となるようスペーサによって導電性布帛が保持されることで形成される。
【００３７】
本発明では空隙２２が押圧の無い状態で所定の寸法を満たすようにスペーサを配置することが重要である。
空隙２２の高さが小さすぎると、人体による押圧が無い状態でもシワや布団程度の無視すべき荷重等によって第１の導電性布帛１１と第２の導電性布帛１２とが接触してしまい、誤って押圧と判断されてしまう。空隙２２の高さが大きすぎると、人体による押圧でも第１の導電性布帛１１と第２の導電性布帛１２とが接触せず、正確に押圧を検知できない。また、スペーサの高さが高いため、使用者が押圧時に違和感をもつ可能性が高くなってしまう。かかる観点から、空隙２２の高さは３ｍｍ以上６ｍｍ以下が好ましく、４ｍｍ以上５ｍｍ以下がより好ましい。空隙２２の高さとは、押圧の無い状態での、対向する第１の導電性布帛１１の導電性領域の表面と第２の導電性布帛１２の導電性領域の表面との距離である。空隙２２の高さが１つの布帛状センサ１の中で変動する場合は、最も小さい値を選択する。
【００３８】
空隙２２の幅が大きすぎると、人体による押圧が無い状態でもシワや布団程度の無視すべき荷重等によって第１の導電性布帛１１と第２の導電性布帛１２とが接触してしまい、誤って押圧と判断されてしまう。空隙２２の幅が小さすぎると、人体による押圧でも第１の導電性布帛１１と第２の導電性布帛１２とが接触せず、正確に押圧を検知できない。かかる観点から、空隙２２の幅は１５ｍｍ以上３５ｍｍ以下が好ましく、２０ｍｍ以上３０ｍｍ以下がより好ましい。空隙２２の幅とは、第１の導電性布帛１１あるいは第２の導電性布帛１２を水平に置き、上面から見た透視図を描いた時、空隙２２が存在する領域に入る最も大きい真円の直径に等しい。例えば図１１Ａおよび図１１Ｂでは、四角柱型のスペーサ１４−１と１４−２とが平行に配置されており、スペーサ１４−１と１４−２との間の距離が空隙２２の幅に等しい。例えば図１２では、シート状の可撓性材料から真円形を６カ所打ち抜いたスペーサ１４が第１の導電性布帛１１と第２の導電性布帛１２との間に配置されており、空隙２２は真円を底面とする円柱形であり、その底面の真円の直径が空隙２２の幅に等しい。空隙２２の幅が１つの布帛状センサ１の中で変動する場合は、最も大きい値を選択する。
【００３９】
空隙２２の幅と高さにより第１の導電性布帛１１と第２の導電性布帛１２との接触しやすさが変化するため、人体程度の荷重にのみ十分反応し、人体より軽い荷重に反応しにくくなるように空隙２２の幅と高さを設定することが重要である。かかる観点から、空隙２２の幅をＷ（ｍｍ）、高さをＨ（ｍｍ）としたとき、Ｈ／Ｗの値は０．１０以上０．３５以下が好ましく、０．１５以上０．３０以下がより好ましく、０．２０以上０．２５以下がさらに好ましい。
【００４０】
また、図１１Ａのように上面から見た空隙２２の縦横比が２倍以上の場合は、押圧に対し第１の導電性布帛１１と第２の導電性布帛１２とが接触しやすいため、空隙２２の幅は１５ｍｍ以上２５ｍｍ以下が好ましく、Ｈ／Ｗの値は０．２０以上０．３０以下が好ましい。一方、図１２のように上面から見た空隙２２の縦横比が２倍以下の場合は、押圧に対し第１の導電性布帛１１と第２の導電性布帛１２とが接触しにくいため、空隙２２の幅は２５ｍｍ以上３５ｍｍ以下が好ましく、Ｈ／Ｗの値は０．１５以上０．２５以下が好ましい。
【００４１】
本発明ではスペーサ１４が特定の硬さおよび復元性を有することが重要である。
スペーサ１４の硬さが小さすぎると、人体による押圧が無い状態でもシワや布団程度の無視すべき荷重等によって第１の導電性布帛１１と第２の導電性布帛１２とが接触してしまい、誤って押圧と判断されてしまう。スペーサ１４の硬さが大きすぎると、人体による押圧でも第１の導電性布帛１１と第２の導電性布帛１２とが接触せず、正確に押圧を検知できない。また、スペーサが硬いため、使用者が押圧時に違和感をもつ可能性が高くなってしまう。かかる観点から、スペーサ１４の硬さを表す５０％圧縮応力は４．３ｋＰａ以上２０ｋＰａ以下が好ましく、４．５ｋＰａ以上１５ｋＰａ以下がより好ましい。
【００４２】
スペーサ１４の５０％圧縮応力とは、第１の導電性布帛１１および第２の導電性布帛１２に垂直な方向に厚さが規定されるスペーサ１４を、初期厚さ（第１の導電性布帛１１、第２の導電性布帛１２およびそれらと連結するための接着剤や両面テープを除いたスペーサ１４のみの厚さ）の５０％の厚さまで圧縮したときの応力であり、例えば以下の方法で測ることができる。
【００４３】
布帛状センサ１のスペーサ１４が全域にある部分を、幅５ｍｍ長さ１０ｍｍとなるようにローラーカッターで裁断し、その布帛状センサ片の断面を観察してスペーサ１４のみの部分の厚さを測定する。第１の導電性布帛１１および第２の導電性布帛１２は、粘着剤等で固定されておらず自然に除去できる場合は除去する。変位を制御し反力を測定できる荷重試験機に、幅５ｍｍ長さ１０ｍｍ以上の広さをもつ剛直な２枚の平行板を試験機上方および下方に設置し、その下方に裁断した布帛状センサ片を設置し、上方の平行板が布帛状センサ片に触れない状態で荷重を０ｍＮとし、上方の平行板を下ろして布帛状センサ片に触れ、上方の平行板にかかる荷重が５ｍＮとなった状態で変位を０ｍｍとし、そこから先に測定したスペーサ１４の厚さの５０％の距離だけ上方の平行板を下ろし、その時の荷重（ｋＮ）を試験片の面積５０×１０−６（ｍ３）で割って５０％圧縮応力（ｋＰａ）を算出する。スペーサ１４の面積が十分あれば、上記を５枚以上の布帛状センサ片にて繰り返し、平均値を取る。スペーサ１４の面積が幅５ｍｍ長さ１０ｍｍ以下の場合は、幅および長さを小さくしてもよいが、測定可能な範囲で面積を大きく取るように裁断し、その面積を用いて応力を算出する。
【００４４】
スペーサ１４の復元性は、スペーサが荷重により変形した後に元の寸法に戻る性能を指す。復元性が低すぎると、人体による押圧後に押圧が除かれた状態でも空隙２２の高さが小さくなる結果、シワや布団程度の無視すべき荷重等によって第１の導電性布帛１１と第２の導電性布帛１２とが接触してしまい、誤って押圧と判断されてしまう可能性が高くなる。かかる観点から、スペーサ１４の人体程度の局所的な荷重による応力（４０ｋＰａ程度）に対する復元性を表す４０ｋＰａ圧縮１０秒後の復元率は５０％以上１００％以下が好ましく、８０％以上１００％以下がより好ましく、９０％以上１００％以下がさらに好ましい。
【００４５】
スペーサ１４の４０ｋＰａ圧縮１０秒後の復元率とは、第１の導電性布帛１１および第２の導電性布帛１２に垂直な方向に厚さが規定されるスペーサ１４を、初期厚さ（第１の導電性布帛１１、第２の導電性布帛１２およびそれらと連結するための接着剤や両面テープを除いたスペーサ１４のみの厚さ）を１００％とし、厚み方向に４０ｋＰａの圧縮応力で圧縮した後、圧縮を止めてから１０秒後のスペーサ厚さを初期厚さに対して％で表した値であり、以下の方法で測定する。
【００４６】
布帛状センサ１のスペーサ１４が全域にある部分を、幅５ｍｍ長さ１０ｍｍとなるようにローラーカッターで裁断し、その布帛状センサ片の断面を観察してスペーサ１４のみの部分の厚さｔ０を測定する。第１の導電性布帛１１および第２の導電性布帛１２は、粘着剤等で固定されておらず自然に除去できる場合は除去する。荷重を制御し変位を測定できる荷重試験機に、幅５ｍｍ長さ１０ｍｍ以上の広さをもつ剛直な２枚の平行板を試験機上方および下方に設置し、その下方の平行板上に裁断した布帛状センサ片を設置し、上方の平行板が布帛状センサ片に触れない状態で荷重を０ｍＮとし、上方の平行板を下ろして布帛状センサ片に触れ、上方の平行板にかかる荷重が５ｍＮとなった状態で変位を０ｍｍとし、２Ｎの荷重（圧縮応力４０ｋＰａ）となるまで初期厚みに対する圧縮歪み速度１０％／秒の速度で圧縮し、変位を保持したまま１０秒経過後、ｔ０／秒以上の速度で上方の平行板を上方に移動して圧縮応力を除く。上方の平行板を上方に移動開始してから１０秒後のスペーサ１４の厚みｔ１を測定し、（ｔ１／ｔ０）×１００を４０ｋＰａ圧縮１０秒後の復元率（％）とする。上記を５枚以上の布帛状センサ片にて繰り返し、平均値を取る。スペーサ１４の面積が幅５ｍｍ長さ１０ｍｍ以下の場合は、幅および長さを小さくしてもよいが、測定可能な範囲で面積を大きく取るように裁断し、その面積を用いて応力を算出する。
【００４７】
また、スペーサ１４の密度が小さすぎると、長期間の使用によりスペーサが潰れたまま戻らない、いわゆるヘタリが起こる可能性が高く、長期間の使用後の空隙２２の高さが前述した好適な値より低くなってしまう結果、布帛状センサ１の性能が劣化してしまいやすい。一方、スペーサ１４の密度が大きすぎると、スペーサ１４のヘタリによる性能劣化の可能性は低くなるが、押圧して圧縮された時のスペーサ１４の高さが比較的大きく、押圧時にスペーサ１４以外の部分で互いに接触する第１の導電性布帛１１および第２の導電性布帛１２は、平面からより大きく変形した状態で保持される。この状態が長期間続くと、押圧が無くなった時にも第１の導電性布帛１１および第２の導電性布帛１２は押圧時に大きく変形した状態のまま、平面状に戻りにくく、長期間の押圧後の空隙２２の高さが前述した好適な値より低くなってしまう結果、布帛状センサ１の性能が劣化してしまいやすい。かかる観点から、空隙２２の高さがスペーサ１４の密度は２０ｋｇ／ｍ３以上１５０ｋｇ／ｍ３以下が好ましく、２５ｋｇ／ｍ３以上１００ｋｇ／ｍ３以下がより好ましい。ここでいう密度とは、荷重がない状態での、スペーサ内部の空気の体積を含んだ嵩密度である。
【００４８】
上記を満足するスペーサ１４としては、例えば可撓性を有する多孔質材料が用いられる。可撓性を有する多孔質材料としては、例えばスポンジ（高分子材料の多孔体）、ウレタンフォームまたは不織布が挙げられる。多孔質材料の孔は独立孔でも連通孔でもそれらの混合でもよいが、前述の条件を満たすには主に連通孔であることが好ましい。可撓性を有する多孔質材料としては特にポリウレタン、ポリエステル、ゴムなどの高分子からなるスポンジが耐久性の点で好ましく、とりわけポリウレタンあるいはポリエステルからなるスポンジが好ましい。
【００４９】
第１の導電性布帛１１、スペーサ１４、および第２の導電性布帛１２を互いに固定する方法は、人体による押圧や折り畳みなどによる布帛状センサ１の変形に対して十分な耐久性があれば特に限定されず、糸による縫い合わせ、接着剤や両面粘着テープによる貼り合わせ、熱圧着や、それらの組合せを好適に用いることができる。または、第１の導電性布帛１１と第２の導電性布帛１２とがあらかじめ１枚の多重織物または多重編物の各層として作製されており、その層間にスペーサを挿入して前述の方法で固定してもよい。耐久性と工程の簡略化の観点から、少なくとも第１の導電性布帛１１と第２の導電性布帛１２とは繊維により連結されている、すなわち、縫い合わせられているか１枚の多重織物または多重編物の各層として作製されていることが好ましい。
【００５０】
図８に示される布帛状センサ１のように、スペーサ１４および空隙２２より外に第１の導電性布帛１１および第２の導電性布帛１２が無い場合は、第１の導電性布帛１１と第２の導電性布帛１２とスペーサとが重なった部分で縫い合わせることが好ましいが、その場合はスペーサ１４の高さが荷重により変動しやすいため縫い合わせにくい。また、空隙２２の高さを所望の高さに保つために空隙２２から十分離れた位置で縫い合わせることに注意する必要があり、スペーサの面積がより大きく必要になってしまう。かかる観点から、図１１および図１２に示される布帛状センサ１のように、スペーサ１４および空隙２２より外にも第１の導電性布帛１１および第２の導電性布帛１２を延在させ、スペーサが無い位置２３で第１の導電性布帛１１と第２の導電性布帛１２とが縫い合わされていることがより好ましい。この場合、第１の導電性布帛１１とスペーサ１４の間、および第２の導電性布帛１２とスペーサ１４の間は接着剤や両面粘着テープにより貼り合わせられている。また、この形態では第１の導電性布帛１１とスペーサ１４の間、および第２の導電性布帛１２とスペーサ１４の間を接着剤や両面粘着テープにより貼り合わせた後、スペーサが無い位置２３で第１の導電性布帛１１と第２の導電性布帛１２とを縫い合わせることが、寸法精度向上と工程の簡略化の点でさらに好ましい。また、この形態では第１の導電性布帛１１と第２の導電性布帛１２とが直接接するため、どちらかの導電性布帛は空隙２２に接する部分と、他方の導電性布帛と連結される部分２３とが、電気的に絶縁されていることが必要であり、例えば図９に示す形態のように、第１の導電性布帛１１は全域が導電性領域である布帛を用い、第２の導電性布帛１２は絶縁性布帛を基材とし、空隙２２に接する部分にのみ導電性領域を配置することで、この形態を実現することができる。このように第１の導電性布帛１１と第２の導電性布帛１２との少なくとも一方は絶縁性の領域を有しており、その絶縁性の領域で第１の導電性布帛１１と第２の導電性布帛１２とが連結されていることが好ましく、その絶縁性の領域の幅は５ｍｍ以上であることがより好ましく、１０ｍｍ以上であることがさらに好ましい。
【００５１】
図１１および図１２に示す通り、センサシーツ１０２の検出器３０は電気配線３１を介して第１の導電性布帛１１（全域が導電性領域である）および第２の導電性布帛１２の導電性領域１３に接続される。布帛状センサ１以外での短絡による誤動作を防ぐため、電気配線３１は絶縁被覆されていることが好ましい。
電気配線３１は布帛状センサ１との接続部３３の近傍で第１の導電性布帛１１または第２の導電性布帛１２にさらに固定されていることが耐久性の点で好ましい。固定する方法としては、ミシンによる縫い付けや、硬化後にゴム状の弾性を有する接着剤（セメダイン株式会社製スーパーＸＧ７７７など）による貼付けが柔軟性の点で特に好ましい。
布帛状センサ１は、外側に保護用の絶縁性布帛をさらに備えていてもよく、この絶縁性布帛は防水性を有していることが好ましい。
【００５２】
検出器３０の検出素子については、第１の導電性布帛１１の導電性領域１３−１および第２の導電性布帛１２の導電性領域１３−２のうち、面積が狭い方の導電性領域と、検出器のグランドとの間に検出素子（電圧検出素子など）を備え、面積が広い方の導電性領域と、検出器のグランドとの間に検出用信号発生素子（直流電圧発生素子など）を備える回路構成とするのが、検出素子へのノイズ混入防止の点で好ましい。また、第１の導電性布帛１１の導電性領域１３−１および第２の導電性布帛１２の導電性領域１３−２のうち、面積が広い方の導電性領域を備える導電性布帛を、他方の導電性布帛より使用者に近い位置に配置して使用することが好ましい。
【００５３】
上記に説明した布帛状センサ１に例示される、検知エリアを構成する接触センサは、主な部材として織物、編物、不織布などの布帛、あるいは可撓性を有するポリウレタン、ポリオレフィンやポリエステルエラストマーなどの高分子シートを用い、接触センサ素子として十分な薄さと柔軟性を兼ね備えており、ベッド５１上で使用する際に使用者５０に違和感を与えることがない事が好ましい。
また、検知エリアを構成する接触センサが固定されるシート状の基材も柔軟な性質を有していることが好ましく、織物、編物、不織布などの布帛状であることが耐久性、柔軟性、通気性を両立するうえで好ましい。また、撥水性を備えることが使用時の性能維持の観点からさらに好ましい。
【００５４】
製造工程の効率化やメンテナンスの観点から、検知エリアを構成する接触センサはそれぞれ独立に基材から取り外すことが可能であることが好ましい。検知エリアを構成する接触センサの基材への固定方法は、例えば粘着テープによる貼付け、リワーク可能な接着剤による貼付け、縫い付け、面ファスナーによる貼り合わせが挙げられる。作業性と質感の点で粘着テープ、接着剤、縫い付けがより好ましい。
【００５５】
接触センサに接続される検出器３０や、必要に応じて接続される送信部２８などの電子回路は通常硬く厚みがある。そのため、接触センサに近接して配置した場合に、接触センサの柔軟な使用感を損ねる場合がある。したがって、これらの電子回路は使用者５０が乗らない部分、すなわちベッド５１の端部に配置し、使用者５０が乗る部分に配置した接触センサとこれらの電子回路とを電気配線３１により接続することが好ましい。
電気配線３１は、使用者に違和感を与えず、また使用者の電気配線への接触による電気配線の破損やノイズ混入を避ける観点から、敷き寝具上面に存在する部分のうち８０％以上１００％以下の長さの部分が、敷き寝具の端から５ｃｍ以内の領域に配置されることが好ましい。
【００５６】
電気配線３１は接触センサの状態を検出できる程度に低い抵抗値を有していれば特に限定されず、金属線や導電性繊維を用いることができ、検出方式にもよるが、前述したスイッチ方式の接触センサを用いる場合は１ＭΩ以下が好ましく、１ｋΩ以下がより好ましい。接触センサの誤動作を防ぐため、電気配線３１は絶縁被覆されていることが好ましい。電気配線３１は接触センサの近傍に配置され、接触センサと同様に使用者による押圧がかかることから、電気配線３１は接触センサと同様に薄く、柔軟であることが好ましく、外径は２ｍｍ以下であることが好ましく、１ｍｍ以下であることがさらに好ましい。また、繰り返しの押圧やシワ、折り曲げに対する耐久性の観点から、電気配線３１は導電性材料をメッキあるいは混合した繊維からなる導電性繊維が好ましい。
【００５７】
電気配線３１と接触センサとの接続方法は、接触センサの状態を検出できる程度に低い抵抗値を有していれば特に限定されず、はんだあるいは導電ペーストによる接続、ホチキスやカシメ玉などの金属製の部品による把持、導電性繊維同士を結ぶ、ミシンによる縫い合わせなどの方法を用いることができるが、使用者に違和感を与える可能性を低くできる点で、可撓性性をもつ導電ペーストによる接続か、導電性繊維を結ぶか、ミシンによる縫い合わせが好ましく、工程の簡略化の点で、ミシンによる縫い合わせが特に好ましい。
電気配線３１は接触センサとの接続の近傍でセンサシーツ基材にさらに固定されていることが耐久性の点で好ましい。固定する方法としては、ミシンによる縫い付けや、硬化後にゴム状の弾性を有する接着剤（セメダイン株式会社製スーパーＸＧ７７７など）による貼付けが柔軟性の点で特に好ましい。
【００５８】
本発明の目的である、設置の正確さおよび簡便さの両立を達成するため、センサシーツ１０２は敷き寝具へ固定するための部材をさらに備えていることが好ましい。敷き寝具へ固定するための部材は、伸縮性布帛、面ファスナー、粘着性テープなどあらゆるものを使用することができるが、設置の簡便さと、あらゆる敷き寝具に使用可能である点から、伸縮性布帛を用い、敷き寝具の下面に伸縮性布帛がかかるように該伸縮性布帛が基材に固定されていることが好ましい。
【００５９】
例えば図１３に示すように、敷設する敷き寝具と概ね同寸法のセンサシーツの４隅に、頂点から２０ｃｍの位置に伸縮性布帛が縫い付けられており、敷き寝具の上面から下面にかけて伸縮性布帛を掛けることにより敷き寝具とセンサシーツを固定できる様態が挙げられる。図１３ではテープ状に伸縮性布帛を配置しているが、このテープ状の範囲から４隅角にかけて３角形となるように伸縮性布帛を配置する範囲を広げてもよい。また、例えば図１４に示すように、センサシーツ頭側端および足側端から内側１０ｃｍの部分に伸縮性布帛を渡して左右の端にてセンサシーツに縫い付け、センサシーツ右側端および左側端から内側１０ｃｍの部分に伸縮性布帛を渡して頭側および足側の端にてセンサシーツに縫い付け、敷き寝具の上面から下面にかけてこれら４本の伸縮性布帛を掛けることにより敷き寝具とセンサシーツを固定できる様態が挙げられる。図１４ではテープ状に伸縮性布帛を配置しているが、このテープ状の範囲から側辺にかけて４角形となるように伸縮性布帛を配置する範囲を広げてもよい。側辺まで伸縮性布帛を固定した場合は、頭側および足側の伸縮性布帛のみにするか、右側端および左側端の伸縮性布帛のみとするのも好ましい。さらに、例えば図１５に示すようにセンサシーツ上面の４辺から延ばした布を下面側に穴の開いた袋状に縫い、袋の口部に伸縮性布帛を一周回して固定し、敷き寝具をセンサシーツで覆うように敷設し、敷き寝具の下面側にて伸縮性布帛の収縮によりセンサシーツをマットに固定する様態が挙げられる。このうち、設置の正確さの観点から、図１３および図１４に例示されるように敷き寝具の４隅に伸縮性布帛がかかる様態がより好ましく、固定力の点で図１３に例示されるように４隅に斜めに伸縮性布帛を固定する様態が特に好ましい。この様態では、伸縮性布帛を固定する位置はセンサシーツの角から１０ｃｍ以上４０ｃｍ以内の位置が好ましい。また、敷き寝具上面の端部に接するセンサシーツの部分に伸縮性布帛の端を固定することも、敷き寝具上面の端部より中央に近い部分にあたるセンサシーツの部分に伸縮性布帛の端を固定することもできる。さらに、敷き寝具の４隅の他に敷き寝具中央部などにも伸縮性布帛を配置し、センサシーツ固定の補助に使うこともできる。いずれの様態でも、伸縮性布帛をセンサシーツ基材に連結する位置ではセンサシーツ基材が変形するため、伸縮性布帛をセンサシーツ基材に連結する位置は検出エリア２０１〜２０３を構成する接触センサから１ｃｍ以上離すことが、接触センサの信頼性保持の点で好ましい。
【００６０】
伸縮性布帛としてはゴム紐、伸縮ニットなど、復元性を有する布帛状の材料であれば特に限定されないが、平ゴム紐および弾性繊維入り伸縮ニットが好ましく用いられ、耐久性と収縮力の点からポリウレタン弾性繊維入りの平ゴム紐およびポリウレタン弾性繊維入りの伸縮ニットが特に好ましい。平ゴム紐の幅は１０ｍｍ以上５０ｍｍ以下が好ましく、２０ｍｍ以上４０ｍｍ以下がより好ましい。
【００６１】
本発明のセンサシーツ１０２について、図４に示した使用例を用いてさらに詳細に説明する。検出器３０は、検知エリア２０１〜２０３の検知された状態に基づいて、使用者５０の状態を検知して、使用者５０の状態に応じた電気信号を出力する。使用者５０の状態としては、ベッド５１上に寝ている状態（臥位状態）、ベッド５１上に起き上がった状態（座位状態）、ベッド５１の端部へ移動しつつある状態（端座位移行状態）、ベッド５１の端部にいる状態（端座状態）、離床した状態などが挙げられる。使用者５０の状態を検出する方法としては、検知エリア２０１〜２０３のうちの人体接触を受けているセンサと人体接触を受けていないセンサとの組み合わせにより、使用者５０の状態を検出する方法が考えられる。その詳細は後述される。なお、使用者５０の状態によっては、電気信号を出力しないようにしてもよい。例えば、使用者５０がベッド５１上に寝ている状態では、離床のおそれがないとして、電気信号を出力しなくてもよい。
【００６２】
送信部２８は、検出器３０からの使用者５０の状態を示す電気信号を受信する。そして、送信部２８は、受信された電気信号を予め設定された送信先へ送信する。送信先としては、アラーム発報装置や使用者監視装置が挙げられる。図４の例では、アラーム発報装置３２へ送信する。なお、送信部２８による送信方式を無線によるもの有線によるものにするかは、適用される装置に応じて適宜決定すればよい。
【００６３】
アラーム発報装置３２は、例えば病室の入口の近傍やナースステーション内に設置され、使用者５０の状態が緊急性の高い状態、すなわち使用者５０が離床しつつある状態と判定されたときに所定のアラームを発報する。このとき、アラームの音の種類や大きさなどによりその緊急性の程度が分かるようする工夫により、看護師の負担を減らすことができる。また、このようにセンサシーツ１０２をアラーム発報装置３２と連動させることにより、病室まで行かずにベッド５１上の使用者５０の状態を遠隔から把握できる。
【００６４】
また、使用者監視装置（図示せず）は、例えばナースステーション内に設置され、使用者５０の状態が緊急性の高い状態と判定されたときに病室内を映すカメラの画像をモニタに表示する。このとき、モニタに表示される画像の大きさや色（点滅を含む）や音との組み合わせなどによりその緊急性の程度が分るようにする工夫により、看護師の負担を減らすことができる。他の例として、使用者５０の状態検知結果を表示する機能を備える携帯端末を上げることができる。また、このようにセンサシーツ１０２を監視装置と連動させることにより、病室まで行かずにベッド５１上の使用者５０の様子を遠隔から確認できる。前述したアラーム発報装置と監視装置を１つの機器内に備えるシステムとすることで、監視者の利便性を上げることもできる。
【００６５】
さらに、検知エリア２０１〜２０３の検知された状態および使用者５０の状態の検知結果を記録する記録装置（図示せず）を備えることが、離床行動に由来する事故の原因究明や、使用者の活動記録を可能にするなどの用途において好ましい。記録装置は検出器３０に接続することも、送信部２８から検出結果を受信する装置に接続することもできる。
【００６６】
検出器３０が使用者５０の状態を検出する方法としては以下の方法が考えられる。
図１６はセンサシーツ１０２で使用者の状態を検出するための判定表である。判定表３０ａは、検知エリア２０１〜２０３のうちの人体接触を受けているセンサ（表中で「ＯＮ」と示される）と人体接触を受けていないセンサ（表中で「ＯＦＦ」と示される）との組み合わせと、その組み合わせから判定される使用者の状態（体勢）検知結果との関係を示す表である。判定表３０ａにおいて、「レベル」は使用者５０のベッド５１上の状態（体勢）検知結果に応じたレベルを示す。判定表３０ａは図４の構成例の検出器３０の記憶部（図示せず）に予め格納されている。
【００６７】
検知エリア２０１〜２０３の状態として、それぞれＯＮ、ＯＮ／ＯＦＦ、ＯＮ／ＯＦＦが検出された場合、使用者５０の状態として「臥位」と判定される。すなわち、使用者５０はベッド５１上に寝ており、離床の心配はない。この状態はレベル０と定義され、離床の監視の観点からは緊急性がない状態といえる。
また、検知エリア２０１〜２０３の状態として、それぞれＯＦＦ、ＯＮ、ＯＦＦが検出された場合、使用者５０の状態として「座位」と判定される。すなわち、使用者５０はベッド５１上で少なくとも上半身を起こしており、離床する動作に移行する可能性もあるが、上半身を起こし続けるかまたは再び寝る可能性もある。この状態はレベル１と定義され、離床の監視の観点からは緊急性が低い状態といえる。
【００６８】
また、検知エリア２０１〜２０３の状態として、それぞれＯＦＦ、ＯＮ、ＯＮ、が検出された場合、使用者５０の状態として「端座位移行」と判定される。すなわち、使用者５０はベッド５１の柵５２の無い端部に向かって移動しており、離床する動作を行おうとしていると推測される。この状態はレベル２と定義され、離床の監視の観点からは緊急性がやや高い状態といえ、離床の予兆行動の一つといえる。更に、左端側の接触センサが接触を検知したことにより第３の検知エリア２０３がＯＮであればベッド５１の左側の端部に向かって移動しており、右端側の接触センサが接触を検知したことにより第３の検知エリア２０３がＯＮであれば右側の端部に向かって移動していると判定してもよい。
【００６９】
また、検知エリア２０１〜２０３の状態として、それぞれＯＦＦ、ＯＦＦ、ＯＮ、が検出された場合、使用者５０の状態として「端座位」と判定される。すなわち、使用者５０はベッド５１の柵５２の無い端部にいて、離床する動作を行いつつあると推測される。この状態はレベル３と定義され、離床の監視の観点からは緊急性が高い状態といえ、離床の予兆行動の一つといえる。更に、左端側の接触センサが接触を検知したことにより第３の検知エリア２０３がＯＮであればベッド５１の左側の端部にいて、右端側の接触センサが接触を検知したことにより第３の検知エリア２０３がＯＮであれば右端の端部にいると判定してもよい。
【００７０】
また、検知エリア２０１〜２０３の状態として、それぞれＯＦＦ、ＯＦＦ、ＯＦＦが検出された場合、使用者５０の状態として「離床」と判定される。すなわち、使用者５０はベッド５１から離床していると推測される。この状態はレベル４と定義され、離床の監視の観点からは緊急性が非常に高い状態といえる。
【００７１】
このようにレベルは、０から４まで数字が大きくなるに連れて、ベッド５１に寝ている状態から離床している状態まで、順に離床に近くなるように、すなわち緊急性が高くなるように設定される。したがって、例えば使用者５０が離床しないように監視する場合、レベル０〜１では使用者５０はベッド５１上にいるので問題ないが、レベル２になると離床するおそれがあるので、そのことを看護師に気付かせる処置が必要となる。そのような処置としては、例えば送信部２８からアラーム発報装置３２へ電気信号を送り、病室やナースステーションでアラームを発報する処置が挙げられる。あるいは、ナースステーションのモニタにベッド５１を映し出したり、看護師の携帯端末に緊急呼び出しメールを送信したりするなどの処置が挙げられる。更にレベル３、４になると離床直前又は離床していると推測されるので、そのことを看護師に気付かせるより強力な処置が必要となる。そのような処置としては、例えば送信部２８からアラーム発報装置３２へ電気信号を送り、病室やナースステーションでのアラームをより大きな音や異なる音色で発報する処置が挙げられる。あるいは、複数の看護師の携帯端末に緊急呼び出しメールを送信したりするなどの処置が挙げられる。
【００７２】
図４に示した本実施の形態では、検知器３０は、看護師に気付かせる処置が必要なレベルとしての閾値レベルを変更・設定可能な閾値レベル入力部３０ｂを更に備えている。例えば看護師が閾値レベル入力部３０ｂを操作して、使用者５０の体の具合などに応じた閾値レベルを設定する。例えば、使用者５０の離床が絶対に許されない場合には閾値レベルの値を低く設定し（例示：レベル２）、短時間ならば離床が許される場合には閾値レベルの値を高く設定する（例示：レベル３）。検知器３０は、使用者５０の状態が閾値レベル以上の場合のみ、使用者５０の状態を示す電気信号を送信部２８へ送信する。なお、閾値レベルを設定可能な閾値レベル入力部は、送信部２８に設けられていてもよい。その場合、検知器３０はすべてのレベルで使用者５０の状態を示す電気信号を出力し、送信部２８は使用者５０の状態が閾値レベル以上の場合のみ、使用者５０の状態を示す電気信号をアラーム発報装置３２へ送信する。
【００７３】
図１７はセンサシーツ１０２の動作例としての離床検知制御を示すフローチャートである。この離床検知制御は、センサシーツ１０２において行なわれる使用者５０がベッド５１から離床しないように監視する制御であり、予め設定された一定時間（例示：０．１秒）ごとに実行される。
【００７４】
ステップ３００において、検知エリア２０１〜２０３の各々は、使用者５０の状態に応じた接触を検知して電気信号として出力する。続くステップ３０１において、検出器３０は、検知エリア２０１〜２０３から出力された複数の電気信号を受信し、それら検出された複数の電気信号に基づいて、判定表３０ａを参照して、使用者５０のレベルを判定する。続くステップ３０２において、使用者５０のレベルが、閾値レベル入力部３０ｂで設定された閾値レベル（例示：レベル２）以上の場合、ステップ３０３において、検出器３０は電気信号を出力する。その電気信号は、使用者５０の状態として、使用者５０の離床または離床の予兆行動を検知したことを示す。送信部２８は、検出器３０から電気信号を受信し、予め設定された送信先、例えばアラーム発報装置３２へ送信する。アラーム発報装置３２は、送信部２８からの電気信号に基づいて、アラームを発報する。検出器３０や送信部２８の送信する電気信号は、本実施の形態ではアラームを発報するための信号と見ることができる。
【００７５】
上記の実施の形態では、閾値レベルを一つとし、閾値レベル以上でアラームを発報する構成としているが、本発明はそれに限定されるものでは無い。例えば閾値レベルを二つとし、最初の閾値レベル（例示：レベル２）に達したときの処置と、次の閾値レベル（例示：レベル３）に達したときの処置とを互いに異なるようにしてもよい。具体的には、最初の閾値レベルに達したときのアラームの音と、次の閾値レベルに達したときのアラームの音とを互いに異なるアラーム音にしたり、音の大きさを変えたりしてもよい。
【００７６】
上記の実施の形態でのセンサシーツ１０２では、その時々の複数の検知エリア２０１〜２０３からの電気信号に基づいて、使用者５０の状態を把握しているが、本発明はこの例に限定されるものでは無い。例えば、前回の使用者５０の状態と今回の使用者５０の状態とを比較して、使用者５０の状態を判定してもよい。例えば、レベル１からレベル２に移行した場合には使用者５０は離床しようとしている状態と推測されるが、レベル３からレベル２に移行した場合には離床しようとしていない状態（逆の動作）であると判定できる。したがって、前者の場合にはレベル２でアラームを発報するが、後者の場合にはレベル２でもアラームを発報しない。このように、前回の使用者５０の状態と今回の使用者５０の状態との比較から、使用者５０の状態をより正しく判断でき、より誤った判断をしないようにすることも好ましい。例えば、レベル０から他のレベルを経由せずレベル４に移行した場合は、一時的に第１の検知エリア２０１が接触を感知しなくなったものとして、所定時間（例えば５秒間）の間、レベル０とみなしてアラームを発報しないアルゴリズムとすることが好ましい。
なお、このようなセンサシーツ１０２は、手術後の患者の離床を監視するためだけでなく、介護施設や民家において身体能力の衰弱した者や認知症や譫妄による徘徊する者の移動を検知するなどの様々な用途にも適用可能である。
【実施例】
【００７７】
以下、本発明を実施例によりさらに具体的に記載するが本発明はこれによって何らの限定を受けるものではない。
図１１ＡおよびＢに示すスイッチ方式の押圧センサを用いて図４の通り検知エリア２０１〜２０３を構成し、固定用伸縮性布帛としてポリウレタンゴム紐（幅２ｃｍ）を図１３の通りに固定したセンサシーツを、パラマウントベッド株式会社製マットレス「マキシーフロート」の上面に敷設した。センサシーツの検出器内の使用者の状態の判定表に図１６に示される判定表を用いた。５名の被験者がこのセンサシーツ上で臥位（仰臥あるいは横臥）状態、座位状態、端座状態、離床状態を繰り返し取ったところ、いずれの被験者でも状態変化の都度、実際の使用者の状態を示す信号が正確に検出器から出力された。また、繰り返し寝返りをうってもセンサシーツの位置がずれることはなかった。この結果から、本発明のセンサシーツは使用者の臥位状態、起床状態、端座状態、離床状態を含む４種以上の状態を正確に検知できることが示された。
【符号の説明】
【００７８】
１    布帛状センサ
１１    第１の導電性布帛
１２    第２の導電性布帛
１３、１３−１、１３−２    導電性領域
１４、１４−１、１４−２    スペーサ
２２    空隙
２３    連結部
２８    送信部
３０    検出器
３０ａ    判定表
３０ｂ    閾値レベル入力部
３１    電気配線
３２    アラーム発報装置
５０    患者
５１    ベッド
５２    柵
１０２    センサシーツ
２００    基材
２０１    第１の検出エリア
２０２    第２の検出エリア
２０３、２０３−１、２０３−２    第３の検出エリア
２１０    中央点
２１１    中央点から頭側へマットレスの長さ４０％の距離の点までを結ぶ線分
２１２    中央点から足側へマットレスの長さ２０％の距離の点までを結ぶ線分
３０１〜３０３    ステップ
４０１    伸縮性布帛
Ｐ    押圧
【図１】
2018019762.tif 000003
【図２】
2018019762.tif 000004
【図３】
2018019762.tif 000005
【図４】
2018019762.tif 000006
【図５】
2018019762.tif 000007
【図６】
2018019762.tif 000008
【図７】
2018019762.tif 000009
【図８】
2018019762.tif 000010
【図９】
2018019762.tif 000011
【図１０】
2018019762.tif 000012
【図１１】
2018019762.tif 000013
【図１２】
2018019762.tif 000014
【図１３】
2018019762.tif 000015
【図１４】
2018019762.tif 000016
【図１５】
2018019762.tif 000017
【図１６】
2018019762.tif 000018
【図１７】
2018019762.tif 000019